(57)【要約】【課題】本発明は、就寝中においてカップ部によりバストを安定して保持することができるとともにバストの変形に伴うカップ部の変形を抑えることが可能な衣類を提供することを目的とするものである。【解決手段】衣類１は、バスト部分に配置された左右一対のカップ部２を備えており、カップ部２は、カップ状に形成された本体部材２０と、本体部材２０の周辺部において肌側以外の部位に重なり合って覆うように配置されて本体部材２０の周縁側に取り付けられている伸縮性を有するサポート部材２１〜２３とを備えている。【選択図】図１
2018024949.tif 000002
【特許請求の範囲】
【請求項１】
バスト部分に配置された左右一対のカップ部を備えた衣類であって、前記カップ部は、カップ状に形成された本体部材と、前記本体部材の周辺部において肌側以外の部位に重なり合って覆うように配置されて前記本体部材の周縁側に取り付けられている伸縮性を有するサポート部材とを備えている衣類。
【請求項２】
複数の前記サポート部材が前記本体部材の周辺部において全周にわたって互いに一部重なり合って取り付けられている請求項１に記載の衣類。
【請求項３】
１つの前記サポート部材は、前記本体部材の中央側下部から脇側中間部にかけて斜め方向に覆うように配置されており、別の前記サポート部材は、前記本体部材の中央側下部から中央側上部にかけて上下方向に覆うように配置されており、さらに別の前記サポート部材は、前記本体部材の脇側中間部から中央側上部にかけて斜め方向に覆うように配置されている請求項２に記載の衣類。
【発明の詳細な説明】
【技術分野】
【０００１】
本発明は、バストを支えるためのカップ部を有するブラジャー等の衣類に関する。
【背景技術】
【０００２】
従来よりバストを支えるためにブラジャー等の衣類が用いられている。こうした衣類では、カップ部でバストを支えるとともにバストの形状を補整する機能を持たせることで、衣類を着用した際にバスト部分に均整のとれた美しい外形を表出させることができる。
【０００３】
また、カップ部は、通常、厚い不織布を芯材として表側及び裏側を布地で被覆して構成されており、ほとんど伸縮性を有しておらず、そのため、安定した状態でバストを収容することができ、バストの形状を整えることも可能となる。
【０００４】
バスト部分の外形形状は、全体の体型とのバランスも重要であり、一般に、バストの上下方向の位置を、トップ位置（バストで一番高い位置）が両肩に沿う左右方向のラインとウエストの括れた位置を通る左右方向のラインとの間の中間位置に設定し、バストの左右方向の位置を、トップ位置の間の間隔が肩幅の約半分に設定することが、バランスのとれた理想のバスト位置とされている。
【０００５】
こうしたバスト位置に体型補整するために、左右のカップ部を連結する基布やカップ部を装着するための胸回りの装着布に伸縮性を有する布片を用いて、バストの下部分、脇部分や背中部分から贅肉をカップ部内に収めて寄せ上げるようにし、こうした寄せ上げによりバストアップすることで、バランスのとれた美しいボディラインを表出させるようにしている。
【０００６】
上述したバストに関する体型補整は、主に直立姿勢の状態を想定して開発が進められており、就寝時の仰臥姿勢や横臥姿勢の状態についてほとんど想定されていない。就寝時においてもバストが上方向や横方向に流れて体型が崩れることになるが、バストの寄せ上げのように身体を伸縮性布片で締め付けた場合、締付感及び圧迫感により就寝の妨げとなるためそのまま採用することは難しい。
【０００７】
そのため、就寝時の体型補整を考慮して改良工夫した衣類が提案されている。例えば、特許文献１では、伸縮性編地からなる複数のサポート部を組み合せて左右のカップ部を構成して就寝時にバストが移動しないように安定保持する衣類が記載されている。また、特許文献２では、立位におけるバージスラインに沿う形状のカップくりの内側下部にサポート部材を設けたカップ部を備えた衣類が記載されている。
【先行技術文献】
【特許文献】
【０００８】
【特許文献１】特開２００９−２２８１４６号公報
【特許文献２】特開２０１５−１９００７９号公報
【発明の概要】
【発明が解決しようとする課題】
【０００９】
特許文献１では、伸縮性編地からなる複数の編地からなるサポート部でバストを保持するようにしているが、バストを所定形状に保持するためサポート部の伸縮力をある程度高める必要があり、そのため着用時に締付感及び圧迫感を感じるようになることが避けられない。締付感及び圧迫感を抑えるためには、サポート部の伸縮力を弱める必要があるが、伸縮力を弱めることでバストの保持力が弱くなるため、好ましくない。
【００１０】
特許文献２についても、カップ部の内側に伸縮性を有するサポート部材を取り付けているため、サポート部材が直接バストを保持するようになり、締付感及び圧迫感が感じられるようになる。サポート部材の伸縮力を弱くして圧迫感を抑えた場合には、就寝時のバストの移動を抑えることが難しくなるため、バストを十分サポートすることができない、といった課題がある。
【００１１】
そこで、本発明は、就寝中においてカップ部によりバストを安定して保持することができるとともにバストの変形に伴うカップ部の変形を抑えることが可能な衣類を提供することを目的とするものである。
【課題を解決するための手段】
【００１２】
本発明に係る衣類は、バスト部分に配置された左右一対のカップ部を備えた衣類であって、前記カップ部は、カップ状に形成された本体部材と、前記本体部材の周辺部において肌側以外の部位に重なり合って覆うように配置されて前記本体部材の周縁側に取り付けられている伸縮性を有するサポート部材とを備えている。さらに、複数の前記サポート部材が前記本体部材の周辺部において全周にわたって互いに一部重なり合って取り付けられている。さらに、１つの前記サポート部材は、前記本体部材の中央側下部から脇側中間部にかけて斜め方向に覆うように配置されており、別の前記サポート部材は、前記本体部材の中央側下部から中央側上部にかけて上下方向に覆うように配置されており、さらに別の前記サポート部材は、前記本体部材の脇側中間部から中央側上部にかけて斜め方向に覆うように配置されている。
【発明の効果】
【００１３】
本発明は、上記のような構成を有することで、カップ部の本体部材の周辺部において肌側以外の部位に重なり合って覆うように配置されて本体部材の周縁側に取り付けられた伸縮性を有する複数のサポート部材により、バストの変形に伴う本体部材の変形が抑えられるので、就寝中においてカップ部にバストを収容した状態で所定の形状に安定して保持することができるようになる。
【００１４】
そのため、就寝時において仰臥姿勢及び横臥姿勢に姿勢を変化させた場合でもバストの変形を押し止めて所定形状に安定して保持することが可能となり、体型を崩すことなくバランスのとれたボディラインを保つことができる。
【００１５】
また、サポート部材は、カップ部の周辺部において肌側以外の部位に重なり合って覆うように配置されているので、サポート部材がバストに対して締付感や圧迫感を与えることがなく、就寝中に着用による違和感を感じることがほとんどなくなる。
【図面の簡単な説明】
【００１６】
【図１】衣類を胸側から見た正面図である。
【図２】衣類の胸側部分を裏側から見た裏面図である。
【図３】衣類の背中側から見た背面図である。
【図４】直立姿勢での着用状態を左側から見た側面図である。
【図５】４枚のサポート部材を配置した変形例に関する正面図である。
【図６】１枚のサポート部材を配置した変形例に関する正面図である。
【図７】２枚のサポート部材を配置した変形例に関する正面図である。
【図８】上側接続部材及び肩側接続部材を省略した衣類の変形例に関する正面図である。
【発明を実施するための形態】
【００１７】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１８】
図１は、本発明に係る実施形態に関する衣類を胸側から見た正面図であり、図２は、胸側部分を裏側から見た裏面図であり、図３は、背中側から見た背面図である。また、図４は、直立姿勢での着用状態を左側から見た側面図である。本実施形態では、衣類としてブラジャーを例に説明する。ブラジャー１は、バスト部分に配置された左右一対のカップ部２を備えており、一対のカップ部２の周囲には、カップ部２の間を接続する中央側接続部材３、カップ部２のそれぞれの下側から脇側に接続された一対の脇側接続部材４、カップ部２の上側を左右にわたって接続する上側接続部材５、及び、カップ部２のそれぞれの肩側に接続された一対の肩側接続部材６を備えている。また、ブラジャー１の背面側には、一対の脇側接続部材４及び一対の肩側接続部材６と接続する背面部材７を備えている。また、ブラジャー１の下縁部には、幅広のベルト部材８が全周にわたって縫着されている。
【００１９】
中央側接続部材３は、上下方向及び左右方向に伸縮性を有する薄地の布片により構成されており、一対のカップ部２の中央側から下側にかけて縫着されて就寝中においてもカップ部２を安定した位置関係で保持するようになっている。脇側接続部材４、上側接続部材５、肩側接続部材６及び背面部材７は、上下方向及び左右方向に伸縮性を有する薄地の布片から構成されており、着用時に体型に合わせて伸縮して肌にフィットし、圧迫感や締付感といった違和感をほとんど与えないようになっている。ベルト部材８は、長手方向に伸縮性を有する帯状の布材から構成されており、脇側接続部材４及び背面部材７よりも厚地の布材が用いられている。そのため、就寝時においてベルト部材８が肌に密着して上下方向にずれにくくなるようになっている。
【００２０】
カップ部２は、肌側布片２０ａ及び表側布片２０ｂを重ね合せてカップ状に形成した本体部材２０を備えており、中央側接続部材３及び脇側接続部材４との間では、バージスラインに沿ってテープ部材２０ｃを重ね合せて縁部が縫着されている。テープ部材２０ｃは、伸縮性のない布材を折り畳んで太いワイヤー状に形成したもので、着用時に肌に密着してカップ部２を安定した装着状態を維持するようになっている。
【００２１】
また、肩側接続部材６との間では、肌側布片２０ａ及び表側布片２０ｂは、重ね合せて縁部が縫着されており、上側接続部材５との間では、表側布片２０ｂのみが縁部を縫着されている。そのため、肌側布片２０ａの上縁部は、上側接続部材５に縫着されずに自由端となっている。
【００２２】
肌側布片２０ａは、伸縮性のない複数の布片を組み合せてバストが収容可能なカップ状に形成されている。肌側布片２０ａに用いる布材としては、例えば、コラーゲン、ヒアルロン酸、ヒオウギエキスといったバストに対する有効成分を浸透させた繊維材料を用いることで、就寝中にバストケアも行うことができる。また、布片の肌側の表面を起毛加工しておくことで、肌当たりの優しい触感を得ることができる。表側布片２０ｂは、肌側布片２０ａの表側に重なり合って覆うように取り付けられており、柔軟性及び伸縮性を有する複数の布片を組み合せてカップ状に形成されている。表側布片２０ｂには、柔軟性及び伸縮性を有する薄地の布材を用いることで、肌側布片２０ａの形状に合わせて重ね合うように変形し、美しいバスト形状を表出させることができる。また、表側布片２０ｂのみが上縁部を上側接続部材５に接続しているので、肌側布片２０ａの上縁部が上側に引き上げられることなく表側布片２０ｂ及び上側接続部材５により肌側布片２０ａ全体が包み込まれるように安定して保持されるようになる。
【００２３】
本体部材２０には、トップ位置を囲むように複数のサポート部材２１〜２３が取り付けられており、サポート部材２１〜２３は、本体部材２０の周辺部において肌側布片２０ａと重なり合って覆うように取り付けられている。この例では、表側布片２０ｂの外表面にサポート部材２１〜２３が配置されて取り付けられているが、肌側布片２０ａと表側布片２０ｂとの間に配置して取り付けることもでき、本体部材２０の周辺部において肌側以外の部位に配置すればよく、特に限定されない。サポート部材を本体部材２０の肌側以外の部位に配置することで、肌側布片２０ａの全面がバストに密着した状態となり、肌側布片２０ａよる肌触りやバストケアをバスト全体に付与することが可能となる。
【００２４】
サポート部材２１〜２３は、パワーネット等の伸縮性を有する編地からなり、周縁側の端部が互いに一部重なり合うように配置されて表側布片２０ｂの縁部とともに縫着されている。サポート部材２１〜２３は、編地を一重又は二重にして取り付けることができ、また中心側の端部を所定幅で内側に折り返して部分的に二重にして取り付けることもできる。
【００２５】
サポート部材２１は、本体部材２０の中央側下部から脇側中間部にかけて斜め方向に覆うように配置されており、周縁側の端部はテープ部材２０ｃと重ねて縫着されている。また、サポート部材２１の脇側の端部が肌側布片２０ａの縁部とともに肩側接続部材６に縫着されている。
【００２６】
サポート部材２２は、本体部材２０の中央側下部から中央側上部にかけて上下方向に覆うように配置されており、周縁側の端部はテープ部材２０ｃと重ねて縫着されている。サポート部材２２の上端部は、表側布片２０ｂの上端部とともに上側接続部材５に縫着されている。
【００２７】
サポート部材２３は、本体部材２０の脇側中間部から中央側上部にかけて斜め方向に覆うように配置されており、脇側の端部が肌側布片２０ａの縁部とともに肩側接続部材６に縫着されている。また、サポート部材２２の上端部は、表側布片２０ｂの上端部とともに上側接続部材５に縫着されている。
【００２８】
本体部材２０の中央側下部では、サポート部材２１及び２２の中央側下部が一部重なり合って取り付けられており、脇側中間部では、サポート部材２１及び２３の脇側中間部が一部重なり合って取り付けられている。また、本体部材２０の中央側上部では、サポート部材２２及び２３の中央側上部が一部重なり合って取り付けられており、各サポート部材の中心側端部で囲まれる開口領域に本体部材２０のトップ位置に対応する部分が表出するようになっている。
【００２９】
図４に示すように、直立姿勢の着用状態では、本体部材２０の肌側に着用者のバストが収容されて肌側布片２０ａ及び表側布片２０ｂが膨らんだ状態となるが、サポート部材２１〜２３は、本体部材２０の周辺部に重なり合って覆うように取り付けられているので、本体部材２０の膨らんだ形状に沿ってその周辺部に全周にわたって接触した状態となる。その際に、サポート部材２１〜２３は、表側布片２０ｂに対して圧迫することなく接触しており、本体部材２０にバストが収容された状態でサポート部材による圧迫感がほとんどなくなる。
【００３０】
そして、就寝時において仰臥姿勢となった場合には、束縛のない自由状態ではバストが重力により周辺に拡がって扁平に変形するようになるが、バージスラインに沿って取り付けられたテープ部材２０ｃが肌に密着してバストを所定位置に保持されるようになる。また、左右のカップ部２は、中央側の間において中央側接続部材３により接続されているため、位置関係を安定した状態に保持するようになっている。また、本体部材２０の周辺部は全周にわたってサポート部材２１〜２３により囲まれているため、バストが周辺に拡がって本体部材２０が扁平に変形するのを防止するように作用する。
【００３１】
また、就寝時において横臥姿勢となった場合には、束縛のない自由状態では、下側となったバストは脇側に流れるように変形するとともに上側となったバストは中央側に流れるように変形するようになる。こうしたバストの変形に合わせて本体部材２０も変形するようになるが、脇側への変形に対しては、サポート部材２１及び２３が脇側の変形を抑えるように作用する。その際に、サポート部材２１及び２３は脇側中間部で一部重なり合っているため、脇側への変形を抑えてバストの形状が崩れないように確実に保持するようになる。バストの中央側への変形に対してもサポート部材２２が本体部材２０の中央側への変形を抑えるように作用し、バストの形状が中央側へ流れて崩れないように保持するようになる。そして、横臥姿勢においても、テープ部材２０ｃが肌に密着してバストを所定位置に保持するとともに中央側接続部材３により左右のカップ部２の位置関係を安定した状態で保持するため、カップ部２が左右にずれることなくバストを所定形状に保持するようになる。
【００３２】
以上説明したように、カップ部において本体部材の周辺部において肌側以外の部位に重なり合って覆うように複数のサポート部材を配置して、サポート部材の周縁側の端部を本体部材の周縁に縫着するようにしているので、本体部材に収容されたバストに対して圧迫感や締付感を与えることなく所定の形状に保持することができ、就寝中のバストの変形に対して所定の形状からずれないように保持することが可能となる。
【００３３】
カップ部において、本体部材の周辺部に配置するサポート部材は、上述した例では３枚配置しているが、３枚以上を配置するようにしてもよく特に枚数は限定されない。図５は、４枚のサポート部材を配置した変形例に関する正面図である。この例では、カップ部２’の周辺部に４枚のサポート部材２１’〜２４’が全周にわたって配置されて本体部材２０の周縁に縫着されている。そして、サポート部材２１’及び２３’が本体部材２０の脇側で一部重なり合うように配置され、サポート部材２３’及び２４’が本体部材２０の上側で一部重なり合うように配置されており、本体部材２０の脇側及び上側への変形を確実に抑えるようになっている。
【００３４】
また、本体部材の周縁部に配置するサポート部材は、３枚より少ない枚数にすることもできる。図６は、１枚のサポート部材を配置した変形例に関する正面図である。この例では、カップ部２のトップ位置に開口した１枚のサポート部材２５を周辺部の全周にわたって配置しており、サポート部材２５の周縁部を本体部材２０の周縁に縫着して取り付けている。サポート部材２５は、複数枚の布片を縫い合わせて１枚のサポート部材とすることもできる。図７は、２枚のサポート部材を配置した変形例に関する正面図である。この例では、カップ部２の周辺部に２枚のサポート部材２６及び２７が全周にわたって配置されて本体部材２０の周縁に縫着して取り付けている。そして、サポート部材２６は中央側に配置され、サポート部材２７は脇側に配置されて、上側及び下側で互いに一部重なり合うように配置されている。
【００３５】
以上説明したように、サポート部材は、カップ部の本体部材が所定の形状からずれるように変形するのを抑えるように本体部材の周辺部において肌側以外の部位に配置されていればよく、上述した例に限定されることなく、用途に応じて形状及び枚数を適宜設定することができる。
【００３６】
上述した例では、カップ部２の周囲に中央側接続部材３、脇側接続部材４、上側接続部材５及び肩側接続部材６を縫着して衣類を構成しているが、こうした構成は、衣類のデザイン、サイズ及び用途等に応じて適宜変更することができる。例えば、図８に示すように、上側接続部材５及び肩側接続部材６を省略して背面部材７を肩回りに延設してカップ部２に直接接続するようにしてもよい。この場合には、その構成に合わせて３枚のサポート部材２１”〜２３”の形状を変更している。
【産業上の利用可能性】
【００３７】
以上説明した例では、衣類としてブラジャーを例に説明したが、本発明に係る衣類としては、ボディシェイパー、ブラスリップ、ブラキャミソール等のカップ部を有するインナーウェア、水着、レオタード等のカップ部を有するアウターウェア、アウターウェアのうち内面のバスト部分にカップ部が設けられている衣類が挙げられる。こうした衣類では、カップ部において、カップ状の本体部材の周辺部の外表面に重なり合って覆うようにサポート部材を配置して取り付けることで、就寝中のバストの変形を抑えて所定の形状に安定して保持することができ、バランスのとれたボディラインを維持することが可能となる。
【符号の説明】
【００３８】
１・・・ブラジャー、２・・・カップ部、２０・・・本体部材、２０ａ・・・肌側布片、２０ｂ・・・表側布片、２０ｃ・・・テープ部材、２１〜２７・・・サポート部材、３・・・中央側接続部材、４・・・脇側接続部材、５・・・上側接続部材、６・・・肩側接続部材、７・・・背面部材、８・・・ベルト部材
【図１】
2018024949.tif 000003
【図２】
2018024949.tif 000004
【図３】
2018024949.tif 000005
【図４】
2018024949.tif 000006
【図５】
2018024949.tif 000007
【図６】
2018024949.tif 000008
【図７】
2018024949.tif 000009
【図８】
2018024949.tif 000010
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
バスト部分に配置された左右一対のカップ部を備えた衣類であって、上下方向及び左右方向に伸縮性を有する薄地の布片からなるとともに前記カップ部の間を接続する中央側接続部材と、上下方向及び左右方向に伸縮性を有する薄地の布片からなるとともに前記カップ部のそれぞれの下側から脇側に接続された一対の脇側接続部材と、上下方向及び左右方向に伸縮性を有する薄地の布片からなるとともに前記カップ部の上側を左右にわたって接続する上側接続部材とを備えており、前記カップ部は、伸縮性のない肌側布片並びに柔軟性及び伸縮性を有する薄地の表側布片を重ね合せてカップ状に形成された本体部材と、前記本体部材の周辺部において肌側以外の部位に重なり合って覆うように配置されて前記本体部材の周縁側に取り付けられている伸縮性を有するサポート部材とを備えており、前記表側布片及び前記サポート部材は、上縁部を前記肌側布片に接続せずに前記上側接続部材に接続されている衣類。
【請求項２】
複数の前記サポート部材が前記本体部材の周辺部において全周にわたって互いに一部重なり合って取り付けられている請求項１に記載の衣類。
【請求項３】
１つの前記サポート部材は、前記本体部材の中央側下部から脇側中間部にかけて斜め方向に覆うように配置されており、別の前記サポート部材は、前記本体部材の中央側下部から中央側上部にかけて上下方向に覆うように配置されており、さらに別の前記サポート部材は、前記本体部材の脇側中間部から中央側上部にかけて斜め方向に覆うように配置されている請求項２に記載の衣類。
【手続補正２】
【補正対象書類名】明細書
【補正対象項目名】００１２
【補正方法】変更
【補正の内容】
【００１２】
本発明に係る衣類は、バスト部分に配置された左右一対のカップ部を備えた衣類であって、上下方向及び左右方向に伸縮性を有する薄地の布片からなるとともに前記カップ部の間を接続する中央側接続部材と、上下方向及び左右方向に伸縮性を有する薄地の布片からなるとともに前記カップ部のそれぞれの下側から脇側に接続された一対の脇側接続部材と、上下方向及び左右方向に伸縮性を有する薄地の布片からなるとともに前記カップ部の上側を左右にわたって接続する上側接続部材とを備えており、前記カップ部は、伸縮性のない肌側布片並びに柔軟性及び伸縮性を有する薄地の表側布片を重ね合せてカップ状に形成された本体部材と、前記本体部材の周辺部において肌側以外の部位に重なり合って覆うように配置されて前記本体部材の周縁側に取り付けられている伸縮性を有するサポート部材とを備えており、前記表側布片及び前記サポート部材は、上縁部を前記肌側布片に接続せずに前記上側接続部材に接続されている。さらに、複数の前記サポート部材が前記本体部材の周辺部において全周にわたって互いに一部重なり合って取り付けられている。さらに、１つの前記サポート部材は、前記本体部材の中央側下部から脇側中間部にかけて斜め方向に覆うように配置されており、別の前記サポート部材は、前記本体部材の中央側下部から中央側上部にかけて上下方向に覆うように配置されており、さらに別の前記サポート部材は、前記本体部材の脇側中間部から中央側上部にかけて斜め方向に覆うように配置されている。